Podtech/llm-jp-corpus-v4-ja_patent huggingface dataset:
【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
ポリマー組成物であって、（ｉ）ラジカル開始剤(free radical initiator)と、（ｉｉ）ラジカル架橋性ポリマー(free radical crosslinkable polymer)と、（ｉｉｉ）スコーチを抑制する量のイソシアナート、ジイソシアナート、および（メタ）アクリラートスコーチ抑制剤の少なくとも１つとを含み、イソシアナートおよびジイソシアナートは、式（Ｉ）：
Ｒ（ＮＣＯ）ｎ  （Ｉ）
を有し、式中、ｎは少なくとも１であり、Ｒは、４〜２６個の炭素原子を有する、脂肪族、脂環式、脂肪族−脂環式、芳香族、もしくは脂肪族−芳香族炭化水素、または不活性に置換された炭化水素基であり、（メタ）アクリラートスコーチ抑制剤は、式（ＩＩ）：
ＣＨ２＝Ｃ（Ｒ１）−Ｃ（Ｏ）−Ｏ−Ｒ２  （ＩＩ）
を有し、式中、Ｒ１は、水素またはメチル基であり、Ｒ２は、１〜１０個の炭素原子を有する、直鎖もしくは分枝鎖の炭化水素基、またはヒドロキシアルキル基、あるいは不活性に置換された炭化水素またはヒドロキシアルキル基である、ポリマー組成物。
【請求項２】
スコーチ抑制剤が、ポリマーの重量を基準にして少なくとも０．０１重量％の量で存在する、請求項１に記載のポリマー組成物。
【請求項３】
ラジカル開始剤(free radical initiator)を含むラジカル架橋性ポリマー組成物(free radical crosslinkable polymer composition)のスコーチを抑制する方法であって、方法は、組成物をラジカル架橋条件(free-radical crosslinking conditions)に曝露する前に、スコーチを抑制する量のイソシアナート、ジイソシアナート、および（メタ）アクリラートスコーチ抑制剤の少なくとも１つと組成物とを混合するステップを含み、イソシアナートおよびジイソシアナートは、式（Ｉ）：
Ｒ（ＮＣＯ）ｎ  （Ｉ）
を有し、式中、ｎは少なくとも１であり、Ｒは、４〜２６個の炭素原子を有する、脂肪族、脂環式、脂肪族−脂環式、芳香族、もしくは脂肪族−芳香族炭化水素、または不活性に置換された炭化水素基であり、（メタ）アクリラートスコーチ抑制剤は、式（ＩＩ）：
Ｈ２Ｃ＝Ｃ（Ｒ１）−Ｃ（Ｏ）−Ｏ−Ｒ２  （ＩＩ）
を有し、式中、Ｒ１は、水素またはメチル基であり、Ｒ２は、１〜１０個の炭素原子を有する、直鎖もしくは分枝鎖の炭化水素基、またはヒドロキシアルキル基、あるいは不活性に置換された炭化水素またはヒドロキシアルキル基である、方法。
【請求項４】
スコーチ抑制剤が、ポリマーの重量を基準にして０．１５〜７重量％の量で存在する、請求項３に記載の方法。
【請求項５】
請求項１に記載のポリマー組成物を含む物品。
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
官能基を有するアクリレートエステルポリマーと、
多官能熱硬化性樹脂と、
多官能アクリレートエステルと、
アクリレートエステルの重合触媒又は硬化剤と、
多官能熱硬化性樹脂を硬化するのに好適な熱潜在性触媒と、
アクリル酸塩と、を含み、
アクリレートエステルポリマーと熱硬化性樹脂とが互いに反応可能である、接着剤組成物。
【請求項２】
前記多官能熱硬化性樹脂が、エポキシ樹脂を含む、請求項１に記載の組成物。
【請求項３】
前記アクリレートエステルポリマーが、ブチルアクリレート及びグリシジルメタクリレートのコポリマーを含む、請求項１に記載の組成物。
【請求項４】
前記多官能アクリレートエステルが、トリメチロールプロパントリアクリレートを含む、請求項１に記載の組成物。
【請求項５】
前記熱潜在性触媒が、イミダゾール促進剤を含む、請求項１に記載の組成物。
【請求項６】
前記アクリル酸塩が、多価金属イオンを含む、請求項１に記載の組成物。
【請求項７】
請求項１に記載の接着剤組成物と裏材とを含み、ダイシングテープ及びダイアタッチ接着剤としての連続使用に好適な接着剤転写ダイシングテープ。
【請求項８】
少なくとも５０重量％の官能基含有アクリレートエステルポリマーと、
２０重量％〜４０重量％の多官能熱硬化性樹脂と、
有効量の多官能アクリレートエステルと、
前記アクリレートエステルポリマーを硬化するための触媒と、
前記多官能熱硬化性樹脂を硬化するための熱潜在性触媒と、
アクリル酸塩と、を含み、
前記アクリレートエステルポリマーと前記熱硬化性樹脂とが接着剤反応生成物を生成することが可能である、接着剤。
【請求項９】
活性表面と、基板表面と、該基板表面に近接した請求項８に記載の接着剤組成物の層と、を備える半導体ウエファー。
【請求項１０】
官能基を有するアクリレートエステルポリマーを提供する工程と、
多官能熱硬化性樹脂を提供する工程と、
多官能アクリレートエステルを提供する工程と、
アクリレートエステルの重合触媒又は硬化剤を提供する工程と、
前記多官能熱硬化性樹脂を硬化するのに好適な熱潜在性触媒を提供する工程と、
アクリル酸塩を提供する工程と、
前記ポリマーと、熱硬化性樹脂と、多官能アクリレートエステルと、アクリレートエステルの重合触媒又は硬化剤と、熱潜在性触媒と、アクリル酸塩とを混合し、混合物を生成する工程と、
前記混合物を脱気する工程と、を含み、
前記アクリレートエステルポリマーと前記熱硬化性樹脂とが互いに反応可能である、接着剤の製造方法。
【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
無機酸化物粒子；及び
無機酸化物粒子上にコートされているワックス；
を含み、ワックスが約５０％以上の結晶化度を有する、艶消しコーティングを製造するのに有用な艶消し剤。
【請求項２】
該ワックスが約５５％以上の結晶化度を有する、請求項１に記載の艶消し剤。
【請求項３】
該ワックスが約６０％以上の結晶化度を有する、請求項１に記載の艶消し剤。
【請求項４】
該ワックスが約７０％以上の結晶化度を有する、請求項１に記載の艶消し剤。
【請求項５】
該ワックスが約８０％以上の結晶化度を有する、請求項１に記載の艶消し剤。
【請求項６】
該ワックスがポリオレフィンを含む、請求項１〜５のいずれか１項に記載の艶消し剤。
【請求項７】
該無機酸化物が、シリカ、アルミナ、マグネシア、チタニア、ジルコニア、鉄酸化物、又はこれらの混合物を含む、請求項１〜６のいずれか１項に記載の艶消し剤。
【請求項８】
該無機酸化物が２〜１２ミクロンの中央粒径を有する、請求項１〜７のいずれか１項に記載の艶消し剤。
【請求項９】
無機酸化物粒子；
無機酸化物粒子上にコートされているワックス；及び
コーティング配合成分；
を含み、ワックスが約５０％以上の結晶化度を有する、艶消しコーティングを製造するのに有用なコーティング配合物。
【請求項１０】
該ワックスが約６０％以上の結晶化度を有する、請求項９に記載のコーティング配合物。
【請求項１１】
該ワックスが約７０％以上の結晶化度を有する、請求項９に記載のコーティング配合物。
【請求項１２】
該ワックスが約８０％以上の結晶化度を有する、請求項９に記載のコーティング配合物。
【請求項１３】
該ワックスが、ポリエチレン、ポリプロピレン、又はこれらの混合物を含む、請求項９〜１２のいずれか１項に記載のコーティング配合物。
【請求項１４】
該無機酸化物が、シリカ、アルミナ、マグネシア、チタニア、ジルコニア、鉄酸化物、又はこれらの混合物を含む、請求項９〜１３のいずれか１項に記載のコーティング配合物。
【請求項１５】
該無機酸化物が２〜１２ミクロンの中央粒径を有する、請求項９〜１４のいずれか１項に記載のコーティング配合物。
【請求項１６】
無機酸化物粒子；及び
無機酸化物粒子上にコートされているワックス；
を含み、ワックスが約５０％以上の結晶化度を有する、艶消しコーティング。
【請求項１７】
Faber試験を用いる該コーティングの耐摩耗性が、６０°において１０光沢単位未満である、請求項１６に記載の艶消しコーティング。
【請求項１８】
Faber試験を用いる該コーティングの耐摩耗性が、２０°において５光沢単位未満である、請求項１６に記載の艶消しコーティング。
【手続補正書】
【提出日】平成23年3月15日(2011.3.15)
【手続補正１】
【補正対象書類名】特許請求の範囲
【補正対象項目名】全文
【補正方法】変更
【補正の内容】
【特許請求の範囲】
【請求項１】
インスリン耐性を有する前糖尿病の対象において、２型糖尿病およびその臨床的合併症の発症を予防するまたは遅延させるための、血圧降下薬および／またはスタチンとアセチルL-カルニチンまたはその医薬上許容される塩とを組み合わせて含むことを特徴とする、医薬組成物。
【請求項２】
重度のインスリン耐性を有する前糖尿病の対象において、２型糖尿病およびその臨床的合併症の発症を予防するまたは遅延させるための、血圧降下薬および／またはスタチンとアセチルL-カルニチンまたはその医薬上許容される塩とを組み合わせて含むことを特徴とする、医薬組成物。
【請求項３】
血圧降下薬により既に処置しているインスリン耐性を有する前糖尿病の対象において、２型糖尿病およびその臨床的合併症の発症を予防するまたは遅延させるための、アセチルL-カルニチンまたはその医薬上許容される塩を含む医薬組成物であって、スタチンを含んでいてもよい医薬組成物。
【請求項４】
血圧降下薬により既に処置している前糖尿病の対象において、高血圧を処置するための、アセチルL-カルニチンまたはその医薬上許容される塩を含む医薬組成物であって、スタチンを含んでいてもよい医薬組成物。
【請求項５】
血圧降下薬により既に処置している前糖尿病の対象において、収縮期血圧を低下させるための、アセチルL-カルニチンまたはその医薬上許容される塩を含む医薬組成物であって、スタチンを含んでいてもよい医薬組成物。
【請求項６】
血圧降下薬により既に処置している前糖尿病の対象において、脈圧を低下させるための、アセチルL-カルニチンまたはその医薬上許容される塩を含む医薬組成物であって、スタチンを含んでいてもよい医薬組成物。
【請求項７】
アセチルL-カルニチンの医薬上許容される塩が以下からなる群から選択される請求項１〜６のいずれかに記載の医薬組成物：塩化物、臭化物、オロト酸塩、アスパラギン酸塩、酸アスパラギン酸塩、酸クエン酸塩、マグネシウムクエン酸塩、リン酸塩、酸リン酸塩、フマル酸塩および酸フマル酸塩、マグネシウムフマル酸塩、乳酸塩、マレイン酸塩および酸マレイン酸塩、シュウ酸塩、酸シュウ酸塩、パモ酸塩、酸パモ酸塩、硫酸塩、酸硫酸塩、グルコースリン酸塩、酒石酸塩および酸酒石酸塩、グリセロリン酸塩、ムケート、マグネシウム酒石酸塩、2-アミノエタンスルホン酸塩、マグネシウム2-アミノエタンスルホン酸塩、メタンスルホン酸塩、コリン酒石酸塩、トリクロロ酢酸塩およびトリフルオロ酢酸塩。
【請求項８】
糖尿病の合併症が以下からなる群から選択される、請求項１〜３のいずれかに記載の医薬組成物：糖尿病性網膜症、糖尿病性ニューロパチーおよび糖尿病性腎症を含む微小血管性合併症；アテローム性動脈硬化症、末梢血管障害を含む大血管性合併症；肥満；高血圧；心筋梗塞；卒中；多嚢胞性卵巣症候群；およびシンドロームX。
【請求項９】
血圧降下薬が以下からなる群から選択される、請求項１〜８のいずれかに記載の医薬組成物：プラゾシンを含むアルファ1アドレナリン拮抗剤；プロプラノロール、ナドロール、チモロール、メトプロロール、ピンドロールを含むベータアドレナリン拮抗剤；ロスタフロキシンを含むウアバイン拮抗剤；ラベタロールを含むアルファ／ベータアドレナリン共通拮抗剤；グアネチジン、レセルピンを含むアドレナリン作動性神経遮断剤；クロニジン、メチルドパおよびグアナベンズを含むCNS作用性血圧降下剤；スピラプリル、エナラプリル、ラミプリル、ペリンドプリル、インドラプリル、リシノプリル、キナプリル、ペントプリル、シラザプリル、カプトプリル、ゾフェノプリル、ピバロプリルおよびホシノプリルを含むアンギオテンシン変換酵素（ACE）阻害剤；ロサルタンを含むアンギオテンシンII受容体拮抗剤；ニカルジピン、ニモジピン、ベラパミル、ジルチアゼム、ニフェジピンを含むカルシウムチャネル遮断剤；ヒドロクロロチアジド、クロルタリドン、フロセミド、トリアムテレンを含む利尿剤；ヒドララジン、ミノキシジル、ニトロプルシド、ジアゾキシド、ヒドララジン、ミノキシジル、ベラパミルを含む血管拡張剤。
【請求項１０】
カルシウムチャネル遮断剤がジルチアゼム、ニフェジピン、ベラパミル、ニカルジピンおよびニモジピンから成る群から選択される、請求項９に記載の医薬組成物。
【請求項１１】
スタチンが、シンバスタチン、ロバスタチン、フルバスタチン、プラバスタチン、アトルバスタチン、セリバスタチン、ロバスタチンおよびロスバスタチンからなる群から選択される、請求項１〜１０のいずれかに記載の医薬組成物。
【請求項１２】
スタチンがシンバスタチンである、請求項１１に記載の医薬組成物。
【請求項１３】
錠剤、サシェ、カプセルまたはバイアルの形態における経口または非経口投与に適する、固体または液体形態である、請求項１〜１２のいずれかに記載の医薬組成物。
【請求項１４】
単一の医薬形態である、または連続投与のために別個の容器中に存在する、請求項１〜１３のいずれかに記載の医薬組成物。
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
ゴムコンパウンドの製造のための改良された方法であって、ゴムの質量に基づいて、式Ｉ
【化１】
2010521576.tif 000001
［式中、Ｒ1は、水素、Ｃ1−Ｃ20アルキル基、スチリル基、α−メチルスチリル基又は−ＣＨ2−Ｓ−Ｒ3；又はＣ2−Ｃ20アルケニル基、Ｃ3−Ｃ20アルキニル基、Ｃ5−Ｃ9シクロアルキル基、フェニル基又はトリル基により置換されたＣ1−Ｃ20アルキル基であり；
Ｒ2は、Ｃ1−Ｃ20アルキル基又は−ＣＨ2−Ｓ−Ｒ3であり、
Ｒ3は、Ｃ1−Ｃ20アルキル基；フェニル基、ヒドロキシル基、シアノ基、ホルミル基、アセチル基又は−Ｏ−ＣＯ−Ｒ5により置換されたＣ1−Ｃ20アルキル基；Ｃ2−Ｃ20アルケニル基、Ｃ3−Ｃ20アルキニル基、Ｃ5−Ｃ9シクロアルキル基；又はヒドロキシル基、フェニル基、４−クロロ−フェニル基、２−メトキシカルボニルフェニル基、ｐ−トリル基、１，３−ベンズチアゾール−２−イル基、−（ＣＨＲ5）nＣＯＯＲ6又は−（ＣＨＲ5）nＣＯＮＲ7Ｒ8により置換されたＣ5−Ｃ9シクロアルキル基であり；
Ｒ4は、水素又はメチル基であり、
Ｒ5は、水素又はＣ1−Ｃ6アルキル基であり、
Ｒ6は、Ｃ1−Ｃ20アルキル基；酸素又は硫黄により中断されたＣ3−Ｃ20アルキル基；Ｃ5−Ｃ9シクロアルキル基、フェニル基、ベンジル基又はトリル基であり、
Ｒ7及びＲ8は、互いに独立して水素又はＣ1−Ｃ6アルキル基であり、及び
ｎは１又は２である］の加工安定剤０．１〜２％の量の存在下で１２５〜２００℃でゴム及び成分を配合することを含む方法。
【請求項２】
Ｒ3がＣ6−Ｃ18アルキルである、請求項１に記載の方法。
【請求項３】
Ｒ1がメチル基であり、
Ｒ2が−ＣＨ2−Ｓ−Ｒ3であり、
Ｒ3がＣ8−Ｃ12アルキル基であり、及び
Ｒ4が水素である、請求項１に記載の方法。
【請求項４】
該成分が、顔料、染料、充填剤、均展助剤、分散剤、可塑剤、加硫活性剤、加硫促進剤、加硫剤、電荷制御剤、付着促進剤、帯電防止剤、金属酸化物、抗酸化剤及び光安定剤からなる群から選択される、請求項１に記載の方法。
【請求項５】
該成分がエポキシド化大豆油及び／又は２，２，６，６−テトラメチルピペリジン−１−オキシルである、請求項４に記載の方法。
【請求項６】
該配合が１５０〜２００℃で行われる、請求項１に記載の方法。
【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
癌を処置するための医薬組成物であって、治療的な量のアパジクオン（apaziquone）を含み、経尿道的膀胱腫瘍切除術（ＴＵＲ−ＢＴ）後に投与される、組成物。
【請求項２】
前記投与が、ＴＵＲ−ＢＴ後約６時間以内に行われる、請求項１に記載の組成物。
【請求項３】
前記投与が、ＴＵＲ−ＢＴ後約５時間以内に行われる、請求項２に記載の組成物。
【請求項４】
前記投与が、ＴＵＲ−ＢＴ後約４時間以内に行われる、請求項３に記載の組成物。
【請求項５】
前記投与が、ＴＵＲ−ＢＴ後約３時間以内に行われる、請求項４に記載の組成物。
【請求項６】
前記癌が、膀胱癌である、請求項１〜４のいずれか１項に記載の組成物。
【請求項７】
前記膀胱癌が、非侵襲性膀胱癌である、請求項６に記載の組成物。
【請求項８】
前記膀胱癌が、膀胱の移行上皮細胞癌である、請求項６に記載の組成物。
【請求項９】
前記膀胱癌が、ＴＮＭ病期ＴａまたはＴ１である、請求項６に記載の組成物。
【請求項１０】
前記膀胱癌が、組織学的グレードＧ１またはＧ２である、請求項６に記載の組成物。
【請求項１１】
約１ｍｇ／用量〜約８ｍｇ／用量のアパジクオンを含む、請求項１〜４及び６〜１０のいずれか１項に記載の組成物。
【請求項１２】
約２ｍｇ／用量〜約６ｍｇ／用量のアパジクオンを含む、請求項１１に記載の組成物。
【請求項１３】
約３ｍｇ／用量〜約５ｍｇ／用量のアパジクオンを含む、請求項１１に記載の組成物。
【請求項１４】
約１ｍｇ／用量〜約８ｍｇ／用量のアパジクオンを含む、癌を処置するための凍結乾燥医薬組成物であって、
（ａ）ＴＵＲを必要としている患者にＴＵＲを実施する工程；及び
（ｂ）当該組成物を再構成する工程
の後に膀胱内点滴注入によって投与される、組成物。
【請求項１５】
工程（ｂ）を、工程（ａ）の前にまたは後に行うことができる、請求項１４に記載の組成物。
【請求項１６】
前記投与が、膀胱内点滴注入による、請求項１〜４及び６〜１３のいずれか１項に記載の組成物。
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
式I：
【化１】
2010521481.tif 000001
I
［式中、
R1は、CO2R5またはCONR6R7であり; 
R2は、１つの窒素を介してカルボニルに結合した[4.4.0]、[4.3.0]または[3.3.0]二環式ジアミンであり、そしてそれらは、0-2個のR8置換基で置換されており;
R3は、水素、ハロ、アルキル、アルケニル、ヒドロキシ、ベンジルオキシ、またはアルコキシであり;
R4はシクロアルキルであり;
R5は水素またはアルキルであり;
R6は水素、アルキル、アルキルSO2、シクロアルキルSO2、ハロアルキルSO2、(R9)(R10)NSO2、または(R11)SO2であり; 
R7は、水素またはアルキルであり;
R8は、水素、アルキル、シクロアルキル、(シクロアルキル)アルキル、アルキルカルボニル、(シクロアルキル)カルボニル、アルコキシカルボニル、アミノカルボニル、(アルキルアミノ)カルボニル、(ジアルキルアミノ)カルボニル、(R12)カルボニル、ベンジル、またはベンジルオキシカルボニルであり;
R9は、水素またはアルキルであり;
R10は、水素またはアルキルであり;
R11は、アゼチジニル、ピロリジニル、ピペリジニル、ピペラジニル、N-(アルキル)ピペラジニル、モルホリニル、チオモルホリニル、ホモピペリジニル、またはホモモルホリニルであり;および、
R12は、アゼチジニル、ピロリジニル、ピペリジニル、ピペラジニル、N-(アルキル)ピペラジニル、モルホリニル、チオモルホリニル、ホモピペリジニル、またはホモモルホリニルである］
の化合物、または医薬的に許容されるその塩。
【請求項２】
R1がCONR6R7であり;R6がアルキルSO2、シクロアルキルSO2、ハロアルキルSO2、(R9)(R10)NSO2、または(R11)SO2であり;および、R7が水素である、請求項１に記載の化合物。
【請求項３】
R2が、１つの窒素を介してカルボニルに結合した[4.3.0]または[3.3.0]二環式ジアミンであり、そしてそれらは、0-2個のR8置換基で置換されている、請求項１に記載の化合物。
【請求項４】
R3が水素である、請求項１に記載の化合物。
【請求項５】
R3がメトキシである、請求項１に記載の化合物。
【請求項６】
R4がシクロヘキシルである、請求項１に記載の化合物。
【請求項７】
R6が(R9)(R10)NSO2または(R11)SO2である、請求項１に記載の化合物。
【請求項８】
立体化学：
【化２】
2010521481.tif 000002
である、請求項１に記載の化合物。
【請求項９】
立体化学：
【化３】
2010521481.tif 000003
である、請求項１に記載の化合物。
【請求項１０】
式：
【化４】
2010521481.tif 000004
【化５】
2010521481.tif 000005
【化６】
2010521481.tif 000006
【化７】
2010521481.tif 000007
【化８】
2010521481.tif 000008
【化９】
2010521481.tif 000009
【化１０】
2010521481.tif 000010
からなる群から選択される請求項１に記載の化合物、または医薬的に許容されるその塩。
【請求項１１】
治療上有効な量の請求項１に記載の化合物、または医薬的に許容されるその塩、および医薬的に許容される担体を含む、C型肝炎感染症の治療のための医薬組成物。
【請求項１２】
HCVに対する治療的有用性を有する少なくとも１つのさらなる化合物をさらに含む請求項１１に記載の医薬組成物であって、該化合物がインターフェロン、シクロスポリン、インターロイキン、HCVメタロプロテアーゼインヒビター、HCVセリンプロテアーゼインヒビター、HCVポリメラーゼインヒビター、HCVヘリカーゼインヒビター、HCV NS4Bタンパク質インヒビター、HCVエントリーインヒビター、HCVアセンブリインヒビター、HCVイグレスインヒビター、HCV NS5Aタンパク質インヒビター、HCV NS5Bタンパク質インヒビター、およびHCVレプリコンインヒビターからなる群から選択される、該医薬組成物。
【請求項１３】
治療上有効な量の請求項１に記載の化合物、または医薬的に許容されるその塩、およびHCVに対する治療的有用性を有する少なくとも１つのさらなる化合物を組み合わせて含む、C型肝炎感染症の治療のための剤。
【請求項１４】
請求項１に記載の化合物、または医薬的に許容されるその塩より、前、後、またはそれと同時に、該さらなる化合物を投与することを特徴とする、請求項１３に記載の剤。
【請求項１５】
該さらなる化合物が、インターフェロン、シクロスポリン、インターロイキン、HCVメタロプロテアーゼインヒビター、HCVセリンプロテアーゼインヒビター、HCVポリメラーゼインヒビター、HCVヘリカーゼインヒビター、HCV NS4Bタンパク質インヒビター、HCVエントリーインヒビター、HCVアセンブリインヒビター、HCVイグレスインヒビター、HCV NS5Aタンパク質インヒビター、HCV NS5Bタンパク質インヒビター、およびHCVレプリコンインヒビターからなる群から選択される、請求項１３または１４に記載の剤。
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
式I:
【化１】
2010521484.tif 000001
［式中、
R1はCO2R5またはCONR6R7であり; 
R2はヒドロキシ、アルコキシ、CO2R12、CON(R13)(R14)、OCON(R13)(R14)、またはN(R15)(R16)であるか;
R2はアゼチジニル、ピロリジニル、ピペリジニル、ピペラジニル、N-(アルキル)ピペラジニル、モルホリニル、チオモルホリニル、ホモピペリジニル、またはホモモルホリニルであり、そしてそれらは、0〜3個のアルキル置換基で置換されているか;あるいは、
R2は、
【化２】
2010521484.tif 000002
であり;
R3は水素、ハロ、アルキル、アルケニル、ヒドロキシ、ベンジルオキシ、またはアルコキシであり;
R4はシクロアルキルであり;
R5は水素またはアルキルであり;
R6は水素、アルキル、アルキルSO2、シクロアルキルSO2、ハロアルキルSO2、(R9)(R10)NSO2、または(R11)SO2であり;
R7は水素またはアルキルであり;
R8は水素、アルキル、シクロアルキル、(シクロアルキル)アルキル、アルキルカルボニル、アルコキシカルボニル、ベンジル、ベンジルオキシカルボニル、またはピリジニルであり;
R9は水素またはアルキルであり;
R10は水素またはアルキルであり;
R11はアゼチジニル、ピロリジニル、ピペリジニル、ピペラジニル、N-(アルキル)ピペラジニル、モルホリニル、チオモルホリニル、ホモピペリジニル、またはホモモルホリニルであり、そしてそれらは、0〜3個のアルキル置換基で置換されており;
R12は水素またはアルキルであり;
R13は水素またはアルキルであり;
R14は水素またはアルキルであるか;あるいは、
N(R13)(R14)は一緒になって、アゼチジニル、ピロリジニル、ピペリジニル、ピペラジニル、N-(アルキル)ピペラジニル、モルホリニル、チオモルホリニル、ホモピペリジニル、またはホモモルホリニルであり、そしてそれらは、0〜3個のアルキル置換基で置換されており;
R15は水素、アルキル、またはアルキルCOであり;
R16は水素またはアルキルである］
の化合物または医薬的に許容されるその塩。
【請求項２】
R1がCONR6R7であり;R6がアルキルSO2、シクロアルキルSO2、ハロアルキルSO2、(R9)(R10)NSO2、または(R11)SO2であり; そして、R7が水素である、請求項１に記載の化合物。
【請求項３】
R3が水素である、請求項１に記載の化合物。
【請求項４】
R3がメトキシである、請求項１に記載の化合物。
【請求項５】
R4がシクロヘキシルである、請求項１に記載の化合物。
【請求項６】
R6が(R9)(R10)NSO2または(R11)SO2である、請求項１に記載の化合物。
【請求項７】
以下の立体化学：
【化３】
2010521484.tif 000003
である、請求項１に記載の化合物。
【請求項８】
以下の立体化学：
【化４】
2010521484.tif 000004
である、請求項１に記載の化合物
【請求項９】
式：
【化５】
2010521484.tif 000005
からなる群から選択される請求項１に記載の化合物、または医薬的に許容されるその塩。
【請求項１０】
治療上有効な量の請求項１に記載の化合物、または医薬的に許容されるその塩、および医薬的に許容される担体を含む、C型肝炎感染症の治療のための医薬組成物。
【請求項１１】
HCVに対する治療的有用性を有する少なくとも１つのさらなる化合物をさらに含む請求項１０に記載の医薬組成物であって、該化合物がインターフェロン、シクロスポリン、インターロイキン、HCVメタロプロテアーゼインヒビター、HCVセリンプロテアーゼインヒビター、HCVポリメラーゼインヒビター、HCVヘリカーゼインヒビター、HCV NS4Bタンパク質インヒビター、HCVエントリーインヒビター、HCVアセンブリインヒビター、HCVイグレスインヒビター、HCV NS5Aタンパク質インヒビター、HCV NS5Bタンパク質インヒビター、およびHCVレプリコンインヒビターからなる群から選択される、該医薬組成物。
【請求項１２】
治療上有効な量の請求項１に記載の化合物、または医薬的に許容されるその塩、およびHCVに対する治療的有用性を有する少なくとも１つのさらなる化合物を組み合わせて含む、C型肝炎感染症の治療のための剤。
【請求項１３】
請求項１に記載の化合物、または医薬的に許容されるその塩より、前、後、またはそれと同時に、該さらなる化合物を投与することを特徴とする、請求項１２に記載の剤。
【請求項１４】
該さらなる化合物がインターフェロン、シクロスポリン、インターロイキン、HCVメタロプロテアーゼインヒビター、HCVセリンプロテアーゼインヒビター、HCVポリメラーゼインヒビター、HCVヘリカーゼインヒビター、HCV NS4Bタンパク質インヒビター、HCVエントリーインヒビター、HCVアセンブリインヒビター、HCVイグレスインヒビター、HCV NS5Aタンパク質インヒビター、HCV NS5Bタンパク質インヒビター、およびHCVレプリコンインヒビターからなる群から選択される、請求項１２または１３に記載の剤。
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
式Ｉ：
【化１】
2010521482.tif 000001
Ｉ
［式中、
Ｒ1は、ＣＯ2Ｒ5またはＣＯＮＲ6Ｒ7であり；
Ｒ2は、
【化２】
2010521482.tif 000002
であり；
Ｒ3は、水素、ハロ、アルキル、アルケニル、ヒドロキシ、ベンジルオキシ、またはアルコキシであり；
Ｒ4は、シクロアルキルであり；
Ｒ5は、水素またはアルキルであり；
Ｒ6は、水素、アルキル、アルキルＳＯ2、シクロアルキルＳＯ2、ハロアルキルＳＯ2、（Ｒ10）（Ｒ11）ＮＳＯ2、または（Ｒ12）ＳＯ2であり；
Ｒ7は、水素またはアルキルであり；
Ｒ8は、水素、アルキル、シクロアルキル、（シクロアルキル）アルキル、アミノアルキル、（アルキルアミノ）アルキル、（ジアルキルアミノ）アルキル、またはベンジルであり；
Ｒ9は、水素、アルキル、シクロアルキル、（シクロアルキル）アルキル、アミノアルキル、（アルキルアミノ）アルキル、（ジアルキルアミノ）アルキル、またはベンジルであり；あるいは
ＮＲ8Ｒ9は一緒になって、アゼチジニル、ピロリジニル、ピペリジニル、ピペラジニル、Ｎ−（アルキル）ピペラジニル、モルホリニル、チオモルホリニル、ホモピペリジニル、またはホモモルホリニルとなり；
Ｒ10は、水素またはアルキルであり；
Ｒ11は、水素またはアルキルであり；
Ｒ12は、アゼチジニル、ピロリジニル、ピペリジニル、ピペラジニル、Ｎ−（アルキル）ピペラジニル、モルホリニル、チオモルホリニル、ホモピペリジニル、またはホモモルホリニルであり；
Ｒ13は、水素またはアルキルであり；並びに
Ｒ14は、水素、アルキル、シクロアルキル、またはハロアルキルである］
の化合物、またはその医薬的に許容される塩。
【請求項２】
Ｒ1が、ＣＯＮＲ6Ｒ7であり；
Ｒ6が、アルキルＳＯ2、シクロアルキルＳＯ2、ハロアルキルＳＯ2、（Ｒ10）（Ｒ11）ＮＳＯ2、または（Ｒ12）ＳＯ2であり；並びに
Ｒ7が、水素である、請求項１の化合物。
【請求項３】
Ｒ2が、
【化３】
2010521482.tif 000003
であり；並びに
Ｒ14が、水素、アルキル、またはシクロアルキルである、請求項１または２の化合物。
【請求項４】
Ｒ3が水素である、請求項１〜３のいずれか１項の化合物。
【請求項５】
Ｒ3がメトキシである、請求項１〜３のいずれか１項の化合物。
【請求項６】
Ｒ4がシクロヘキシルである、請求項１〜５のいずれか１項の化合物。
【請求項７】
Ｒ6が、（Ｒ10）（Ｒ11）ＮＳＯ2または（Ｒ12）ＳＯ2である、請求項１〜６のいずれか１項の化合物。
【請求項８】
以下の立体化学：
【化４】
2010521482.tif 000004
である、請求項１〜７のいずれか１項の化合物。
【請求項９】
以下の立体化学：
【化５】
2010521482.tif 000005
である、請求項１〜７のいずれか１項の化合物。
【請求項１０】
【化６−１】
2010521482.tif 000006
【化６−２】
2010521482.tif 000007
からなる群から選択される、請求項１の化合物またはその医薬的に許容される塩。
【請求項１１】
請求項１〜１０のいずれか１項の化合物またはその医薬的に許容される塩、並びに医薬的に許容される担体を含む組成物。
【請求項１２】
ＨＣＶに治療効果を有する少なくとも一つの別の化合物をさらに含み、その中で、該化合物は、インターフェロン、サイクロスポリン、インターロイキン、ＨＣＶメタロプロテアーゼ阻害剤、ＨＣＶセリンプロテアーゼ阻害剤、ＨＣＶポリメラーゼ阻害剤、ＨＣＶヘリカーゼ阻害剤、ＨＣＶ ＮＳ４Ｂタンパク質阻害剤、ＨＣＶエントリー阻害剤、ＨＣＶアセンブリ阻害剤、ＨＣＶイグレス阻害剤、ＨＣＶ ＮＳ５Ａタンパク質阻害剤、ＨＣＶ ＮＳ５Ｂタンパク質阻害剤、およびＨＣＶレプリコン阻害剤からなる群から選択される、請求項１１の組成物。
【請求項１３】
請求項１〜１０のいずれか１項の化合物を含む、Ｃ型肝炎感染の治療剤。
【請求項１４】
ＨＣＶに治療効果を有する少なくとも一つの別の化合物をさらに含み、その中で、該化合物は、インターフェロン、サイクロスポリン、インターロイキン、ＨＣＶメタロプロテアーゼ阻害剤、ＨＣＶセリンプロテアーゼ阻害剤、ＨＣＶポリメラーゼ阻害剤、ＨＣＶヘリカーゼ阻害剤、ＨＣＶ ＮＳ４Ｂタンパク質阻害剤、ＨＣＶエントリー阻害剤、ＨＣＶアセンブリ阻害剤、ＨＣＶイグレス阻害剤、ＨＣＶ ＮＳ５Ａタンパク質阻害剤、ＨＣＶ ＮＳ５Ｂタンパク質阻害剤、およびＨＣＶレプリコン阻害剤からなる群から選択される、請求項１３の治療剤。
【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
４，５−ジヒドロ−２−［２−ヒドロキシ−３−（３，６，９−トリオキサデシルオキシ）フェニル］−４−メチル−４−チアゾールカルボン酸またはその塩。
【請求項２】
（Ｓ）−４，５−ジヒドロ−２−［２−ヒドロキシ−３−（３，６，９−トリオキサデシルオキシ）フェニル］−４−メチル−４−チアゾールカルボン酸またはその塩。
【請求項３】
４，５−ジヒドロ−２−［２−ヒドロキシ−３−（３，６，９−トリオキサデシルオキシ）フェニル］−４−メチル−４−チアゾールカルボン酸またはその塩と、薬学的に許容し得る担体とを含む、医薬組成物。
【請求項４】
（Ｓ）−４，５−ジヒドロ−２−［２−ヒドロキシ−３−（３，６，９−トリオキサデシルオキシ）フェニル］−４−メチル−４−チアゾールカルボン酸またはその塩と、薬学的に許容し得る担体とを含む、医薬組成物。
【請求項５】
（Ｓ）−４，５−ジヒドロ−２−［２−ヒドロキシ−３−（３，６，９−トリオキサデシルオキシ）フェニル］−４−メチル−４−チアゾールカルボン酸またはその塩の、対象における、金属のキレート化または金属イオン封鎖に応答する病的状態を処置するための医薬の製造への使用。
【請求項６】
金属が三価金属である、請求項５に記載の使用。
【請求項７】
三価金属が鉄である、請求項６に記載の使用。
【請求項８】
病的状態が、鉄過剰、サラセミア、原発性ヘモクロマトーシス、続発性ヘモクロマトーシス（輸血による鉄過剰としても知られる）、糖尿病、肝疾患、心疾患、癌およびフリードライヒ失調症（ＦＲＤＡ）から選択される、請求項７に記載の使用。
【請求項９】
病的状態が鉄過剰である、請求項８に記載の使用。
【手続補正２】
【補正対象書類名】明細書
【補正対象項目名】００１４
【補正方法】変更
【補正の内容】
【００１４】
本発明の他の態様は、対象における、三価金属のキレート化または金属イオン封鎖（sequestration）に応答する病的状態を処置するための方法であって、該対象に、上記の類似体の治療有効量を投与することを含む、前記方法に関する。
本発明のさらなる態様は、三価金属のキレート化または金属イオン封鎖に応答する病的状態を処置するための医薬組成物であって、上記の少なくとも１種の類似体の治療有効量および、これのための薬学的に許容し得る担体を含む、前記組成物に関する。
本発明の他の態様は、包装材料および該包装材料内に含有される医薬剤を含む製品であって、ここで該医薬剤が、三価金属の過剰を患う対象の処置に有効であり、ここで該包装材料が、該医薬剤を三価金属の過剰に関連する症状の緩和のために使用可能であることを示すラベルを含み、またここで、該医薬剤が上記の類似体である、前記製品に関する。
また、本発明は以下に関する：
（１）式：
【化２】
2010521471.tif 000001
式中、Ｒ１、Ｒ２、Ｒ４およびＲ５は、同一であるかまたは異なっていてもよく、およびこれらはＨ、１４個までの炭素原子を有する直鎖または分枝鎖アルキル（例えばメチル、エチル、プロピルおよびブチル）、またはアリールアルキル（ここでアリール部分はヒドロカルビルであり、アルキル部分は直鎖または分枝鎖であり、前記アリールアルキル基は１４個までの炭素原子を有する）であってもよく、Ｒ２は任意に１４個までの炭素原子を有するアルコキシであり；
Ｒ３は、［（ＣＨ２）ｎ−Ｏ］ｘ−［（ＣＨ２）ｎ−Ｏ］ｙ−アルキルであり；
ｎは、独立して、１〜８の整数であり；
ｘは、１〜８の整数であり；
ｙは、０〜８の整数であり、および
Ｒ３Ｏは、フェニル環上の４位以外の任意の位置を占めてよい、
で表される、比較的非毒性のデスアザデスフェリチオシン類似体、またはその塩、水和物もしくは溶媒和物。
（２）Ｒ１が、ＨまたはＣＨ３である、上記（１）に記載の類似体。
（３）Ｒ２が、ＨまたはＣＨ３Ｏである、上記（１）に記載の類似体。
（４）Ｒ３−Ｏが、Ｏ−［（ＣＨ２）２−Ｏ］３−ＣＨ３である、上記（１）に記載の類似体。
（５）式：
【化３】
2010521471.tif 000002
で表される、上記（１）に記載の類似体。
（６）式：
【化４】
2010521471.tif 000003
で表される、上記（１）に記載の類似体。
（７）対象における、三価金属のキレート化または金属イオン封鎖に応答する病的状態を処置するための方法であって、該対象に、上記（１）に記載の類似体の治療有効量を投与することを含む、前記方法。
（８）三価金属が、鉄である、上記（７）に記載の方法。
（９）病的状態が、鉄過剰である、上記（８）に記載の方法。
（１０）病的状態が、糖尿病である、上記（８）に記載の方法。
（１１）病的状態が、肝疾患である、上記（８）に記載の方法。
（１２）病的状態が、フリードライヒ失調症（ＦＲＤＡ）である、上記（８）に記載の方法。
（１３）病的状態が、心疾患である、上記（８）に記載の方法。
（１４）病的状態が、癌である、上記（８）に記載の方法。
（１５）Ｒ１が、ＨまたはＣＨ３である、上記（８）に記載の方法。
（１６）Ｒ２が、ＨまたはＣＨ３Ｏである、上記（８）に記載の方法。
（１７）Ｒ３−Ｏが、Ｏ−［（ＣＨ２）２−Ｏ］３−ＣＨ３である、上記（８）に記載の方法。
（１８）類似体が、式：
【化５】
2010521471.tif 000004
で表される、上記（８）に記載の方法。
（１９）類似体が、式：
【化６】
2010521471.tif 000005
で表される、上記（８）に記載の方法。
（２０）三価金属のキレート化または金属イオン封鎖に応答する病的状態を処置するための医薬組成物であって、上記（１）に記載の少なくとも１種の類似体の治療有効量および、これのための薬学的に許容し得る担体を含む、前記組成物。
（２１）三価金属が、鉄である、上記（１９）に記載の組成物。
（２２）病的状態が、鉄過剰である、上記（１９）に記載の組成物。
（２３）病的状態が、糖尿病である、上記（１９）に記載の組成物。
（２４）病的状態が、肝疾患である、上記（１９）に記載の組成物。
（２５）病的状態が、フリードライヒ失調症（ＦＲＤＡ）である、上記（１９）に記載の組成物。
（２６）病的状態が、心疾患である、上記（１９）に記載の組成物。
（２７）病的状態が、癌である、上記（１９）に記載の組成物。
（２８）Ｒ１が、ＨまたはＣＨ３である、上記（１９）に記載の組成物。
（２９）Ｒ２が、ＨまたはＣＨ３Ｏである、上記（１９）に記載の組成物。
（３０）Ｒ３−Ｏが、Ｏ−［（ＣＨ２）２−Ｏ］３−ＣＨ３である、上記（１９）に記載の組成物。
（３１）類似体が、式：
【化７】
2010521471.tif 000006
で表される、上記（１９）に記載の組成物。
（３２）類似体が、式：
【化８】
2010521471.tif 000007
で表される、上記（１９）に記載の組成物。
（３３）包装材料および該包装材料内に含有される医薬剤を含む製品であって、ここで該医薬剤が、三価金属の過剰を患う対象の処置に有効であり、ここで該包装材料が、該医薬剤を三価金属の過剰に関連する症状の緩和のために使用可能であることを示すラベルを含み、またここで、該医薬剤が、上記（１）に記載の類似体である、前記製品。
【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
配列番号：１４、１６および１７からなる群より選択される任意の２種類の異なるｓｉＲＮＡを投与する工程を含む、細胞内でＩｉを抑制する方法であって、単独のｓｉＲＮＡによってもたらされるＩｉの抑制と比べ、これらの選択されたｓｉＲＮＡのいずれか２種類によりもたらされるＩｉの抑制が増大する方法。
【請求項２】
請求項１において、選択される２種類の異なるｓｉＲＮＡが、配列番号：１４および１７である方法。
【請求項３】
配列番号：１４、１６および１７からなる群より選択される２種類の異なるｓｉＲＮＡをコードするＤＮＡ配列（１つまたは複数）を含む発現可能な構築物を投与する工程を含む、細胞内でＩｉを抑制する方法。
【請求項４】
請求項３において、該ｓｉＲＮＡをコードするＤＮＡ配列（１つまたは複数）が、ＲＮＡポリメラーゼプロモーターに作動可能に連結されている方法。
【請求項５】
請求項４において、ＲＮＡポリメラーゼプロモーターが、ＣＭＶまたはＥＦ−１αである方法。
【請求項６】
請求項１または３において、細胞が癌細胞である方法。
【請求項７】
請求項５において、細胞が癌細胞であり、プロモーターがＣＭＶであり、癌細胞がＡＭＬ、前立腺癌またはＢ細胞リンパ腫由来である方法。
【請求項８】
請求項５において、細胞が癌細胞であり、プロモーターがＥＦ−１αであり、癌細胞がＡＭＬまたは前立腺癌由来である方法。
【請求項９】
配列番号：１４、１６および１７からなる群より選択される任意の２種類の異なるｓｉＲＮＡを投与する工程を含む、癌の処置方法。
【請求項１０】
配列番号：１４、１６および１７からなる群より選択される２種類の異なるｓｉＲＮＡをコードするＤＮＡ配列（１つまたは複数）を含む発現可能な構築物を細胞内に投与する工程を含む、癌の処置方法。
【請求項１１】
請求項３または１０において、該ｓｉＲＮＡをコードするＤＮＡ配列（１つまたは複数）が、カチオン性デンドリマー、脂質、リポソーム、金粒子、ポリラクチドコグリコリド粒子、およびポリアルキルオキシドコポリマーからなる群より選択される媒介物質を用いる方法によって細胞内に導入される方法。
【請求項１２】
Ｉｉ発現を阻害するのに有効なｓｉＲＮＡの組合せを含む組成物であって、前記組合せが、配列番号：１４、１６および１７からなる群より選択される任意の２種類の異なるｓｉＲＮＡで構成されたものである組成物。
【請求項１３】
請求項１２において、該２種類の異なるｓｉＲＮＡが、配列番号：１４および１７である組成物。
【請求項１４】
配列番号：１４、１６および１７からなる群より選択される２種類の異なるｓｉＲＮＡをコードするＤＮＡ配列（１つまたは複数）を含む組成物であって、該ｓｉＲＮＡがＩｉ発現を阻害するのに有効である組成物。
【請求項１５】
請求項１４において、該ｓｉＲＮＡをコードするＤＮＡ配列（１つまたは複数）が、ＲＮＡポリメラーゼＩＩＩプロモーターに作動可能に連結されている組成物。
【請求項１６】
請求項１５において、該プロモーターが、ＣＭＶまたはＥＦ−１αプロモーターである組成物。
【請求項１７】
配列番号：１４、１６および１７からなる群より選択される任意の２種類の異なるｓｉＲＮＡを含む哺乳動物細胞。
【請求項１８】
配列番号：１４、１６および１７からなる群より選択される２種類の異なるｓｉＲＮＡをコードするＤＮＡ配列（１つまたは複数）を含む発現可能な構築物を含む哺乳動物細胞。
【請求項１９】
請求項１７または１８において、癌細胞である哺乳動物細胞。
【請求項２０】
免疫応答のために個体の細胞型を標的化するための方法であって、該細胞型が１種類以上の確認済または未知の抗原の発現を特徴とし、
ａ）  培養物中に、抗原提示細胞を含む個体の末梢血単核細胞を準備する工程；ならびに
ｂ）  工程ａ）の培養物の抗原提示細胞内に、配列番号：１４、１６および１７からなる群より選択される２種類の異なるｓｉＲＮＡを導入し、該ｓｉＲＮＡは直接または間接的に該細胞内に導入されることによりＩｉの発現が阻害される工程であって、単独のｓｉＲＮＡによってもたらされるＩｉの抑制と比べ、これらの選択されたｓｉＲＮＡのいずれか２種類によりもたらされるＩｉの抑制が増大する工程、
を含む方法。
【請求項２１】
請求項２０において、さらに、治療効果のために個体に工程ｂ）の細胞を再導入することを含む方法。
【請求項２２】
請求項２０または２１において、標的化される細胞型が、癌細胞である方法。
【請求項２３】
請求項１４において、該ＤＮＡ配列（１つまたは複数）が、プラスミドベクター内に存在する組成物。
【請求項２４】
請求項１４において、該ＤＮＡ配列（１つまたは複数）が、ウイルスベクター内に存在する組成物。
【請求項２５】
請求項１８において、該ＤＮＡ配列（１つまたは複数）が、プラスミドベクター内に存在する哺乳動物細胞。
【請求項２６】
請求項１８において、該ＤＮＡ配列（１つまたは複数）が、ウイルスベクター内に存在する哺乳動物細胞。
【請求項２７】
請求項２４において、ウイルスベクターが、アデノウイルス、アデノ随伴ウイルス、レンチウイルス、ポックスウイルス、インフルエンザ、およびレトロウイルスからなる群より選択される組成物。
【請求項２８】
請求項２６において、ウイルスベクターが、アデノウイルス、アデノ随伴ウイルス、レンチウイルス、ポックスウイルス、インフルエンザ、およびレトロウイルスからなる群より選択される哺乳動物細胞。
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
１週間に１回投与される週当たりの用量として、２５０ｍｇよりも多く投与される、医薬として使用するための以下の式を有する化合物Ｉ。
【化１】
2010521417.tif 000001
【請求項２】
投与される化合物Ｉの週当たりの用量が、少なくとも２７５ｍｇである、請求項１に記載の化合物。
【請求項３】
投与される化合物Ｉの週当たりの用量が、少なくとも３００ｍｇである、請求項１に記載の化合物。
【請求項４】
投与される化合物Ｉの週当たりの用量が、少なくとも３５０ｍｇである、請求項１に記載の化合物。
【請求項５】
投与される化合物Ｉの週当たりの用量が、少なくとも４００ｍｇである、請求項１に記載の化合物。
【請求項６】
投与される化合物Ｉの週当たりの用量が、５００ｍｇ以下である、請求項１に記載の化合物。
【請求項７】
投与される化合物Ｉの週当たりの用量が、４００ｍｇ以下である、請求項１に記載の化合物。
【請求項８】
投与される化合物Ｉの週当たりの用量が、３５０ｍｇ以下である、請求項１に記載の化合物。
【請求項９】
投与される化合物Ｉの週当たりの用量が、２５０ｍｇよりも多く、且つ５００ｍｇ以下である、請求項１に記載の化合物。
【請求項１０】
投与される化合物Ｉの週当たりの用量が、２５０ｍｇよりも多く、且つ４００ｍｇ以下である、請求項１に記載の化合物。
【請求項１１】
週当たりの投与形態が、経口、非経口、腹腔内、静脈内、動脈内、経皮、舌下、筋肉内、直腸内、口腔内、鼻腔内、リポソーム、吸入、膣内、眼内、局所送達、皮下、脂肪内、関節内及び鞘内からなる群より選択される経路による投与に適している、請求項１〜１０のいずれか１項に記載の化合物。
【請求項１２】
週当たりの投与形態が経口投与に適している、請求項１〜１０のいずれか１項に記載の化合物。
【請求項１３】
週当たりの投与形態が、経口投与に適した固体製剤である、請求項１〜１０のいずれか１項に記載の化合物。
【請求項１４】
週当たりの投与形態が、経口投与に適したタブレット又はカプセル製剤である、請求項１〜１０のいずれか１項に記載の化合物。
【請求項１５】
週当たりの投与形態が、経口投与に適した徐放性製剤を含む、請求項１〜１０のいずれか１項に記載の化合物。
【請求項１６】
化合物Ｉが、遊離塩基として存在する、請求項１〜１５のいずれか１項に記載の化合物。
【請求項１７】
化合物Ｉが、医薬的に許容される塩として存在する、請求項１〜１５のいずれか１項に記載の化合物。
【請求項１８】
化合物Ｉが、コハク酸の塩として存在する、請求項１〜１５のいずれか１項に記載の化合物。
【請求項１９】
Ｉ型糖尿病の治療に使用するための、請求項１〜１８のいずれか１項に記載の化合物。
【請求項２０】
ＩＩ型糖尿病の治療に使用するための、請求項１〜１８のいずれか１項に記載の化合物。
【請求項２１】
前糖尿病状態の治療に使用するための、請求項１〜１８のいずれか１項に記載の化合物。
【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
脳機能、骨の成長、および骨のミネラル化を改善するため、軟骨成長の改善のため、老化プロセスの緩和のため、抗酸化性がある神経保護作用物質として、コレステロール値とトリグリセリド値を低下させるため、炎症プロセスの予防のため、およびヒトもしくは脊椎動物の血糖値を低下させるため（この際、脳機能を改善するための薬剤では、グアニジノ酢酸対コリンおよび／またはベタインの量のモル比が、１：３〜２：１の範囲である）の、コリンおよび／またはベタインと組み合わせた、グアニジノ酢酸、および／またはグアニジノ酢酸塩を含む薬剤。
【請求項２】
家畜、飼育動物、および／または肥育動物に用いることを特徴とする、請求項１に記載の薬剤。
【請求項３】
前記薬剤が粉末、顆粒、錠剤、カプセル、ペレット、溶液、ジュース、またはゼリー製品を含むことを特徴とする、請求項１または２に記載の薬剤。
【請求項４】
前記薬剤が、コリンおよび／またはベタインと組み合わせたグアニジノ酢酸、および／またはグアニジノ酢酸塩を加えた食用マトリックスを含むことを特徴とする、請求項１または２に記載の薬剤。
【請求項５】
前記食用マトリックスが、コリンおよび／またはベタインと組み合せたグアニジノ酢酸、および／またはグアニジノ酢酸塩を製造工程において混合または溶解により加えた、完成製品もしくは半製品、飲料、または飼料の形の工業的に製造される食料品であることを特徴とする、請求項４に記載の薬剤。
【請求項６】
前記薬剤が、炭水化物、脂肪、アミノ酸、タンパク質、ビタミン、無機物質、微量元素、カフェイン、タウリン、およびこれらの誘導体、およびこれらの混合物から選択されているさらなる生理活性栄養物質を含むことを特徴とする、請求項１から５までのいずれか１項に記載の薬剤。
【請求項７】
前記グアニジノ酢酸塩が、リンゴ酸、アスパラギン酸、アスコルビン酸、コハク酸、焦性ブドウ酸、フマル酸、グルコン酸、α−ケトグルタル酸、シュウ酸、ピログルタミン酸、３−ニコチン酸、乳酸、クエン酸、マレイン酸、硫酸、酢酸、ギ酸、塩酸、リン酸、２−ヒドロキシコハク酸、Ｌ−カルニチン、アセチル−Ｌ−カルニチン、タウリン、ベタイン、コリン、メチオニン、および／またはリポ酸との、ならびにナトリウム、カリウム、またはカルシウムとの塩であることを特徴とする、請求項１から６までのいずれか１項に記載の薬剤。
【請求項８】
前記グアニジノ酢酸（塩）を、ジメチルグリシン、サルコシン、葉酸、およびメチオニン、またはこれらの成分の混合物の群の、さらなるメチル基供与体と組み合わせることを特徴とする、請求項１から７までのいずれか１項に記載の薬剤。
【請求項９】
前記グアニジノ酢酸、および／またはグアニジノ酢酸塩が、各回服用量に体重１ｋｇあたり０．００１〜０．３ｇ含まれていることを特徴とする、請求項１から８までのいずれか１項に記載の薬剤。
【請求項１０】
骨の成長、および骨のミネラル化を改善するための、軟骨成長の改善のための、老化プロセスの緩和のための、抗酸化性がある神経保護作用物質としての、コレステロール値とトリグリセリド値を低下させるための、炎症プロセスの予防のための、およびヒトもしくは脊椎動物の血糖値を低下させるための薬剤において、グアニジノ酢酸対コリンおよび／またはベタインの量のモル比が、１：５〜５：１の範囲であることを特徴とする、請求項１から９までのいずれか１項に記載の薬剤。
【請求項１１】
前記グアニジノ酢酸が液体状の、半固体状の、または固体の食用マトリックスに固体として分散されている、コリンおよび／またはベタインと組み合わせたグアニジノ酢酸を含む、ヒトの栄養補給のための組成物。
【請求項１２】
乳製品、または工業的に製造される完成製品と半完成製品であることを特徴とする、請求項１１に記載の組成物。
【請求項１３】
前記乳製品が、ヨーグルト、ホエー、チーズ、および牛乳から選択されているか、または工業的に製造される前記完成製品と前記半完成製品が、麺、ミューズリー、シリアル、焼き菓子、調理済み食品、スティック状食品、パン、ソーセージ、および飲料から選択されていることを特徴とする、請求項１２に記載の組成物。
【請求項１４】
前記マトリックスのｐＨ値が、２〜１１であることを特徴とする、請求項１１から１３までのいずれか１項に記載の組成物。
【請求項１５】
常温で９０日間貯蔵の後でもなお、グアニジノ酢酸、および／またはグアニジノ酢酸塩の当初の使用量の少なくとも９０％を含むことを特徴とする、請求項１１から１４までのいずれか１項に記載の組成物。
【請求項１６】
前記食用マトリックスが、粘度を上昇させる物質を含むことを特徴とする、請求項１１から１５までのいずれか１項に記載の組成物。
【請求項１７】
前記食用マトリックスが、アルギン酸塩、キサンタン、グアール粉、またはイナゴマメ粉を含むことを特徴とする、請求項１６に記載の組成物。
【請求項１８】
グアニジノ酢酸対コリンおよび／またはベタインのモル比が、１：５〜５：１の範囲であることを特徴とする、請求項１１から１７までのいずれか１項に記載の組成物。
【請求項１９】
グアニジノ酢酸対コリンおよび／またはベタインのモル比が、１：３〜２：１の範囲であることを特徴とする、請求項１８に記載の組成物。